(57)【要約】【課題】複数の光源によって照射した光の反射光により画像を読取る画像読取装置において、各光源の光源からの距離に応じた光量分布特性のばらつきが大きくなると、ラインセンサのセンサ位置に対する光量のばらつきが大きくなってしまう。【解決手段】画像読取装置はそれぞれの光源の光量が最大となるラインセンサのセンサ位置を取得し、それぞれのセンサ位置における光源の光量の総和が等しくなるようにそれぞれの光源の点灯時間の比率を調整する。【選択図】  図１
2018056765.tif 000002
【特許請求の範囲】
【請求項１】
複数の光源からの光を原稿に照射し、前記原稿による反射光を受光し、前記原稿の画像を読取る画像読取装置であって、
予め定められた方向に配列された複数の光電変換素子からなる、前記反射光を受光する受光手段と、
前記複数の光源それぞれを個別に点灯して基準板を照射することにより得られる反射光を前記受光手段が受光した際に、各光源に関し最大光量が得られる前記予め定められた方向に関する位置を検出する検出手段と、
前記検出手段により検出された前記各光源に関する最大光量が得られた前記位置すべてで、前記複数の光源それぞれを個別に点灯し、前記位置すべてについて前記基準板からの反射光を前記受光手段により受光した光量を取得する取得手段と、
前記取得手段により取得された光量に基づいて、前記位置すべてで前記複数の光源を同時点灯した際に得られる前記受光手段により受光される光量が等しくなるような前記複数の光源の点灯時間の比率を算出する算出手段と、
前記算出手段により算出された比率に従って前記複数の光源を同時点灯し、前記受光手段により受光される光量が予め定められた目標値になるように前記複数の光源の点灯時間を調整する調整手段とを有することを特徴とする画像読取装置。
【請求項２】
前記予め定められた目標値は、前記複数の光源それぞれに関して得られた最大光量に基づいていることを特徴とする請求項１に記載の画像読取装置。
【請求項３】
前記調整手段により調整された結果を格納する格納手段をさらに有し、
前記結果は、前記各光源に関し最大光量が得られる前記予め定められた方向に関する位置と、前記算出手段により算出された前記複数の光源の点灯時間の比率と、前記調整手段により調整された前記複数の光源の点灯時間とを含むことを特徴とする請求項１又は２に記載の画像読取装置。
【請求項４】
前記格納手段は、不揮発性メモリであることを特徴とする請求項３に記載の画像読取装置。
【請求項５】
前記格納手段に前記結果が格納されている場合、前記結果に基づいて前記複数の光源を同時点灯させ、前記位置における前記受光手段により受光された光量の差に基づいて調光処理を行うよう制御する制御手段をさらに有することを特徴とする請求項３又は４に記載の画像読取装置。
【請求項６】
前記制御手段は、
前記光量の差が予め定められた閾値より大きい場合、前記検出手段による検出と前記取得手段による取得と前記算出手段による算出と前記調整手段による調整とを行うよう制御し、
前記光量の差が予め定められた閾値以下の場合、前記調整手段による調整を行うよう制御することを特徴とする請求項５に記載の画像読取装置。
【請求項７】
前記格納手段に前記結果が格納されていない場合、再度、前記検出手段による検出と前記取得手段による取得と前記算出手段による算出と前記調整手段による調整とを行うことを特徴とする請求項５又は６に記載の画像読取装置。
【請求項８】
前記複数の光源は、２つのＬＥＤ、又は、３つのＬＥＤ、又は、それ以上のＬＥＤを含むことを特徴とする請求項１乃至７のいずれか１項に記載の画像読取装置。
【請求項９】
前記複数の光源からの光を原稿へと伝達する導光体をさらに有し、
前記複数の光源と前記受光手段と前記導光体とによりコンタクトイメージスキャナを構成することを特徴とする請求項１乃至８のいずれか１項に記載の画像読取装置。
【請求項１０】
前記コンタクトイメージスキャナを前記予め定められた方向とは異なる方向に移動させる移動手段をさらに有することを特徴とする請求項９に記載の画像読取装置。
【請求項１１】
光を原稿に照射する複数の光源と、予め定められた方向に配列された複数の光電変換素子からなる、前記原稿による反射光を受光する受光手段とを備え、前記原稿の画像を読取る画像読取装置の調光方法であって、
前記複数の光源それぞれを個別に点灯して基準板を照射することにより得られる反射光を前記受光手段が受光した際に、各光源に関し最大光量が得られる前記予め定められた方向に関する位置を検出する検出工程と、
前記検出工程において検出された前記各光源に関する最大光量が得られた前記位置すべてで、前記複数の光源それぞれを個別に点灯し、前記位置すべてについて前記基準板からの反射光を前記受光手段により受光した光量を取得する取得工程と、
前記取得工程において取得された光量に基づいて、前記位置すべてで前記複数の光源を同時点灯した際に得られる前記受光手段により受光される光量が等しくなるような前記複数の光源の点灯時間の比率を算出する算出工程と、
前記算出工程において算出された比率に従って前記複数の光源を同時点灯し、前記受光手段により受光される光量が予め定められた目標値になるように前記複数の光源の点灯時間を調整する調整工程とを有することを特徴とする画像読取装置の調光方法。
【発明の詳細な説明】
【技術分野】
【０００１】
本発明は画像読取装置、及びその調光方法に関し、特に、例えば、複数の光源を用いて光学的に原稿の画像を読取る画像読取装置、及びその調光方法に関する。
【背景技術】
【０００２】
スキャナ等の画像読取装置は光源から原稿に光を照射し、原稿からの反射光を光電変換素子で電気信号に変換することで画像を読取っている。従って、画像読取装置において読取画像の階調性を高めるためには光源の光量を適切に調整し、光電変換素子に入射される反射光の光量を最適に調整することが重要になる。
【０００３】
例えば、ＣＩＳ（コンタクトイメージスキャナ）を搭載した画像読取装置は、光源にＲ、Ｇ、Ｂの３色のＬＥＤを使用し、導光体によって線照明に変換した光を原稿に照射し、その反射光を直線状に配列した複数のセンサチップにより読取る方式が一般的である。そのため、原稿の位置が異なっても照射される光量のばらつきを小さくすることが重要となる。特許文献１には複数の光源を用いた画像読取装置が提案されている。特に、複数の光源を使用する際にはそのバランスが重要となる。複数の光源の光量を調整する方法としては、各光源の光量の最大値を等しくし、これらを同時点灯した際の光量の比率を算出し、その比率を保ったまま全光源の光量の最大値を目標値に合わせる方法が知られている。
【先行技術文献】
【特許文献】
【０００４】
【特許文献１】特開２００５−１５１２６９号公報
【発明の概要】
【発明が解決しようとする課題】
【０００５】
しかしながら上記従来例では各光源の光源からの距離に応じた光量分布特性のばらつきが大きくなると、原稿の位置に対する光量のばらつきが大きくなってしまうという問題がある。
【０００６】
本発明は上記従来例に鑑みてなされたもので、画像読取の位置よる光量のばらつきを抑えて良好な画像読取を行うことが可能な画像読取装置とその調光方法を提供すること目的とする。
【課題を解決するための手段】
【０００７】
上記目的を達成するために本発明の画像読取装置は次のような構成からなる。
【０００８】
即ち、複数の光源からの光を原稿に照射し、前記原稿による反射光を受光し、前記原稿の画像を読取る画像読取装置であって、予め定められた方向に配列された複数の光電変換素子からなる、前記反射光を受光する受光手段と、前記複数の光源それぞれを個別に点灯して基準板を照射することにより得られる反射光を前記受光手段が受光した際に、各光源に関し最大光量が得られる前記予め定められた方向に関する位置を検出する検出手段と、前記検出手段により検出された前記各光源に関する最大光量が得られた前記位置すべてで、前記複数の光源それぞれを個別に点灯し、前記位置すべてについて前記基準板からの反射光を前記受光手段により受光した光量を取得する取得手段と、前記取得手段により取得された光量に基づいて、前記位置すべてで前記複数の光源を同時点灯した際に得られる前記受光手段により受光される光量が等しくなるような前記複数の光源の点灯時間の比率を算出する算出手段と、前記算出手段により算出された比率に従って前記複数の光源を同時点灯し、前記受光手段により受光される光量が予め定められた目標値になるように前記複数の光源の点灯時間を調整する調整手段とを有することを特徴とする。
【０００９】
また本発明を別の側面から見れば、光を原稿に照射する複数の光源と、予め定められた方向に配列された複数の光電変換素子からなる、前記原稿による反射光を受光する受光手段とを備え、前記原稿の画像を読取る画像読取装置の調光方法であって、前記複数の光源それぞれを個別に点灯して基準板を照射することにより得られる反射光を前記受光手段が受光した際に、各光源に関し最大光量が得られる前記予め定められた方向に関する位置を検出する検出工程と、前記検出工程において検出された前記各光源に関する最大光量が得られた前記位置すべてで、前記複数の光源それぞれを個別に点灯し、前記位置すべてについて前記基準板からの反射光を前記受光手段により受光した光量を取得する取得工程と、前記取得工程において取得された光量に基づいて、前記位置すべてで前記複数の光源を同時点灯した際に得られる前記受光手段により受光される光量が等しくなるような前記複数の光源の点灯時間の比率を算出する算出工程と、前記算出工程において算出された比率に従って前記複数の光源を同時点灯し、前記受光手段により受光される光量が予め定められた目標値になるように前記複数の光源の点灯時間を調整する調整工程とを有することを特徴とする画像読取装置の調光方法を備える。
【発明の効果】
【００１０】
従って本発明によれば、複数の光源の反射光により画像を読取る画像読取装置においてその読取位置による光量のばらつきを低減し、良好な画像読取を行うことができるという効果がある。
【図面の簡単な説明】
【００１１】
【図１】本発明の代表的な実施例である画像読取装置の構成を示すブロック図である。
【図２】画像読取部をセンサ列の配列方向に関して垂直方向から見た構造を示す図である。
【図３】画像読取部をセンサ列の配列方向に平行な方向から見た構造を示すブロック図である。
【図４】実施例１に従う調光処理を示すフローチャートである。
【図５】ＬＥＤ＿ＡとＬＥＤ＿Ｂを所定の時間点灯させた際のセンサ位置による光量分布を示す図である。
【図６】実施例１に従う調光処理で得られたセンサ位置に対する光量分布と従来例に従う調光処理で得られたセンサ位置に対する光量分布の結果を比較して示す図である。
【図７】実施例２に従う調光処理を示すフローチャートである。
【発明を実施するための形態】
【００１２】
以下添付図面を参照して本発明の好適な実施例について、さらに具体的かつ詳細に説明する。
【００１３】
なお、この明細書において、「シート（又は、記録媒体）」とは、一般的な画像読取装置で用いられる画像の原稿用紙や印画紙のみならず、広く、布、プラスチック・フィルム（ＯＨＰ）、金属板、木材、皮革等、画像の記録が可能な媒体を含むものである。
【００１４】
＜画像読取装置の構成（図１〜図３）＞
図１に本発明の代表的な実施例である光学的に原稿の画像を読取る画像読取装置の読取制御部と画像読取部の構成を示すブロック図である。
【００１５】
図１に示されるように、画像読取部１０１はセンサ１０３と光源１０４で構成される。センサ１０３は複数の光電変換素子からなるセンサチップを直列に配列したセンサ列からなり、光源１０４はＬＥＤと導光体で構成される。読取制御部１０２は最大光量位置検出回路１０５、光量取得回路１０６、比率算出回路１０７、光量調整部１０８によって構成される。センサ１０３によって取得した光量情報は光量取得回路１０６に入力される。
【００１６】
光量調整部１０８には画像読取装置の動作全体を制御するＣＰＵ１０８ａ、その制御のためのプログラムを格納するＲＯＭ１０８ｂ、そのプログラムを実行するための作業領域や画像データの格納のために用いられるＲＡＭ１０８ｃを含む。
【００１７】
なお、ＣＰＵ１０８ａ、ＲＯＭ１０８ｂ、ＲＡＭ１０８ｃが設けられる場所は、光量調整部１０８の内部でなくても良く、その外部、即ち、読取制御部１０２の内部でも良いし画像読取部１０１と読取制御部１０２の外部に設けられても良い。また、メモリとしてはＲＯＭ１０８ｂ、ＲＡＭ１０８ｃの他に、ＥＥＰＲＯＭのような不揮発性メモリを備えても良い。
【００１８】
また、最大光量位置検出回路１０５、光量取得回路１０６、比率算出回路１０７はそれぞれが別個の回路として構成しても良いし、これらを統合した回路やＡＳＩＣであっても良い。
【００１９】
図２は画像読取部１０１をセンサ列の配列方向に関して垂直方向から見た構造を示す図である。
【００２０】
図２に示されるように、光源１０４はＬＥＤ＿Ａ（２０１）とＬＥＤ＿Ｂ（２０２）と導光体２０３で構成されている。ＬＥＤ＿Ａ（２０１）とＬＥＤ＿Ｂ（２０２）から照射された光は導光体２０３を介して原稿２０５に対してライン状に照射される。そして、その照射光は原稿２０５によって反射され、センサ列２０４に入射する。
【００２１】
調光を行う際には、原稿２０５に代えて、画像読取装置の原稿を載置する原稿台ガラス（不図示）の近傍に設けられた白色基準板に光を照射してセンサ列２０４に入射する反射光の光量が最大になるようにする。この時、ＬＥＤ＿Ａ（２０１）を点灯した際に入射する光量が最も大きくなるセンサ列２０４内のセンサの位置を位置Ａ、ＬＥＤ＿Ｂ（２０２）を点灯した際に入射する光量が最も大きくなるセンサ列２０４内のセンサの位置を位置Ｂとする。
【００２２】
最大光量位置検出回路１０５は、光量取得回路１０６からセンサ位置毎の光量情報を取得し、光量が最大となるセンサ位置（最大光量位置）を検出する。この実施例では、最大光量位置検出回路１０５はＬＥＤ＿Ａ（２０１）のみを点灯させて最大光量位置を取得することで位置Ａを、ＬＥＤ＿Ｂ(２０１)のみを点灯させて最大光量位置を取得することで位置Ｂを検出する。光量取得回路１０６は、最大光量位置検出回路１０５によって取得した位置Ａと位置ＢそれぞれにおけるＬＥＤ＿Ａ（２０１）とＬＥＤ＿Ｂ（２０２）それぞれの光量を取得する。取得した光量は比率算出回路１０７に入力される。
【００２３】
比率算出回路１０７は、位置ＡにおけるＬＥＤ＿ＡとＬＥＤ＿Ｂの光量の合計と位置ＢにおけるＬＥＤ＿Ａ（２０１）とＬＥＤ＿Ｂ（２０２）の光量の合計が等しくなるＬＥＤ＿Ａ（２０１）とＬＥＤ＿Ｂ（２０２）の点灯時間の比率を算出する。
【００２４】
光量調整部１０８は、比率算出回路１０７で算出した点灯時間の比率に従いＬＥＤ＿Ａ（２０１）とＬＥＤ＿Ｂ（２０２）を個別に点灯させる。その後、光量調整部１０８は光量取得回路１０６から２つのＬＥＤを同時に点灯した際の光量情報を取得する。そして、ＬＥＤ＿Ａ（２０１）とＬＥＤ＿Ｂ（２０２）を同時点灯させた際の光量が目標値になるようにＬＥＤ＿Ａ（２０１）とＬＥＤ＿Ｂ（２０２）の点灯時間の比率を維持したまま、ＬＥＤ＿Ａ（２０１）とＬＥＤ＿Ｂ（２０２）の点灯時間を調整する。
【００２５】
図３は画像読取部１０１をセンサ列の配列方向に平行な方向から見た構造を示す図である。図３から分かるように、画像読取時、画像読取部１０１は矢印で示された方向に移動しながら、光源１０４から光を原稿２０５に照射し、その反射光をセンサ列２０４を構成するセンサ（光電変換素子）が受光する。この移動方向は、複数の光電変換素子の配列方向とは、垂直または交差する方向である。そして、その反射光の受光強度に従った電気信号がセンサから出力される。このように、画像読取部１０１は光源とセンサ列と導光体とが一体化して移動しながら光を原稿に照射してその画像を読取る、所謂、コンタクトイメージスキャナ（ＣＩＳ）の構成となっている。
【００２６】
なお、ＣＩＳを移動させるための駆動力を発生するモータやその駆動力を伝達するプーリーやガイドレールなどが画像読取装置には備えられるが、これらの構成は公知なのでその説明は省略する。
【００２７】
次に以上の構成の画像読取装置が実行する調光処理の２つの実施例について説明する。
【実施例１】
【００２８】
図４は実施例１に従う調光処理シーケンスを示すフローチャートである。
【００２９】
まず、ステップＳ４０１では、光量調整部１０８によりＬＥＤ＿Ａ（２０１）を所定の時間で点灯させる。ステップＳ４０２では、その際、各センサ位置における光量を光量取得回路１０６が取得し、最大光量位置検出回路１０５によってＬＥＤ＿Ａ（２０１）の光量が最大となる位置Ａを検出する。
【００３０】
次に、ステップＳ４０３では、光量調整部１０８によりＬＥＤ＿Ｂ（２０２）を所定の時間で点灯させる。ステップＳ４０４では、同様にその際、各センサ位置における光量を光量取得回路１０６が取得し、最大光量位置検出回路１０５によってＬＥＤ＿Ｂ（２０２）の光量が最大となる位置Ｂを検出する。
【００３１】
その後、ステップＳ４０５では、再度、ＬＥＤ＿Ａ（２０１）を所定の点灯時間で点灯させる。ステップＳ４６０では、その際、ステップＳ４０２とＳ４０４で取得した位置Ａと位置ＢにおけるＬＥＤ＿Ａ（２０１）の光量を取得する。ステップＳ４０７では、同様にＬＥＤ＿Ｂ（２０２）を所定の時間で再度点灯させる。ステップＳ４０８では、その際、ステップＳ４０２とＳ４０４で取得した位置Ａと位置ＢにおけるＬＥＤ＿Ｂ（２０２）の光量を取得する。
【００３２】
図５はＬＥＤ＿Ａ（２０１）とＬＥＤ＿Ｂ（２０２）を所定の時間点灯させた際のセンサの位置による光量分布の例を示す図である。図５において、横軸はセンサ列２０４を構成する光電変換素子の配列方向の位置を示し、縦軸はこれらの光電変換素子が受光する受光光量を示す。また、曲線５０１がＬＥＤ＿Ａ（２０１）のみを点灯した場合の光量分布曲線であり、曲線５０２がＬＥＤ＿Ｂ（２０２）のみを点灯した場合の光量分布曲線である。
【００３３】
図５の例では位置Ａにおける光量はＬＥＤ＿Ａ（２０１）が「１００」、ＬＥＤ＿Ｂ（２０２）が「２０」であり、位置Ｂにおける光量はＬＥＤ＿Ａ（２０１）が「８０」、ＬＥＤ＿Ｂ（２０２）が「１２０」である。そのため、ＬＡＡ＝１００、ＬＡＢ＝２０、ＬＢＡ＝８０、ＬＢＢ＝１２０となり、点灯時間の比率Ｘ：Ｙは５：１となる。ここで、ＬＡＡとＬＡＢはそれぞれ、位置ＡでのＬＥＤ＿Ａ（２０１）の光量、ＬＥＤ＿Ｂ（２０２）の光量を、ＬＢＡとＬＢＢはそれぞれ、位置ＢでのＬＥＤ＿Ａ（２０１）の光量、ＬＥＤ＿Ｂ（２０２）の光量である。
【００３４】
ステップＳ４０９では、ステップＳ４０６とＳ４０８で取得した位置Ａと位置ＢにおけるＬＥＤ＿Ａ（２０１）とＬＥＤ＿Ｂ（２０２）の光量から位置Ａと位置Ｂでの光量の合計が等しくなるＬＥＤ＿Ａ（２０１）とＬＥＤ＿Ｂ（２０２）の点灯時間を算出する。
【００３５】
ここで、位置Ａと位置Ｂにおける光量の合計を等しくするにはＬＥＤ＿Ａ（２０１）の点灯時間ＸとＬＥＤ＿Ｂ（２０２）の点灯時間Ｙが式（１）を満たす比率になっていれば良い。即ち、
ＬＡＡ×Ｘ  ＋  ＬＡＢ×Ｙ  ＝  ＬＢＡ×Ｘ  ＋  ＬＢＢ×Ｙ  ……（１）
である。
【００３６】
そのため、点灯時間ＸとＹの比率は式（２）のようになる。即ち、
Ｘ：Ｙ＝（ＬＢＢ−ＬＡＢ）：（ＬＡＡ−ＬＢＡ）……（２）
である。
【００３７】
ステップＳ４１０では、算出した比率の点灯時間でＬＥＤ＿Ａ（２０１）とＬＥＤ＿Ｂ（２０２）を点灯させる。そして、ステップＳ４１１では、ＬＥＤ＿Ａ（２０１）とＬＥＤ＿Ｂ（２０２）の同時点灯時の光量の最大値が予め定められた目標値になるように点灯時間を調整する。
【００３８】
なお、図４に示した調光処理において、ステップＳ４０４において位置Ｂを検出すると同時に、位置Ａと位置ＢでのＬＥＤ＿Ｂ（２０２）の光量の取得を行えばステップＳ４０７とＳ４０８をスキップすることもできる。
【００３９】
図６はこの実施例に従う調光処理で得られたセンサ位置に対する光量分布と従来例に従う調光処理で得られたセンサ位置に対する光量分布の結果を比較して示す図である。図６において、縦軸と横軸は図５で説明したのと同じであり、図５で示したＬＥＤ＿Ａ（２０１）とＬＥＤ＿Ｂ（２０２）の光量分布を破線でそれぞれ示している。
【００４０】
また、図６において、従来例に従う調光処理で得られた光量分布を「比率１」、この実施例に従う調光処理で得られた光量分布を「比率２」としている。また、光量の目標値は「２００」に設定している。この目標値は、ＬＥＤ＿Ａ（２０１）とＬＥＤ＿Ｂ（２０１）に関して得られた最大光量に基づいている。とまた、従来例に従う調光処理ではＬＥＤ＿Ａ（２０１）とＬＥＤ＿Ｂ（２０２）の光量の最大値が等しくなるように各ＬＥＤの光量を調整しており、点灯時間の比率Ｘ：Ｙを６：５としている。
【００４１】
比率１と比率２が示す光量分布の特性を比較すると分かるように、この実施例では、位置Ａと位置Ｂとの間の領域にわたって、光量がほぼ「１８０」乃至「２００」の間で一定しており、ばらつきの少ない光量が得られる。
【００４２】
従って以上説明した実施例に従えば、たとえＬＥＤ＿ＡとＬＥＤ＿Ｂそれぞれの、センサ位置に関する光量のばらつきが大きくなる場合にも、２つのＬＥＤを同時点灯した場合には位置による光量ばらつきを低減することができる。
【実施例２】
【００４３】
画像読取装置が不揮発性メモリを備え、過去の調光処理により得られた情報を格納し、後で用いることができる場合、その調光処理は最初の処理と２回目以降の処理とで変更することができる。ここで、最初の処理と２回目以降の処理とで調光処理を変更する例について説明する。
【００４４】
図７は実施例２に従う調光処理シーケンスを示すフローチャートである。なお、図７において既に図４を参照して説明したのと同じ処理ステップには同じステップ参照番号を付しその説明は省略する。
【００４５】
まずステップＳ７０１では、不揮発性メモリに前回の調光結果が格納されており、これを使用可能かどうかを確認する。ここでいう調光結果とは、ＬＥＤ＿Ａ（２０１）とＬＥＤ＿Ｂ（２０２）それぞれに関し最大光量が得られた位置Ａ及び位置Ｂと、ステップＳ４０９とＳ４１１により得られたＬＥＤ＿Ａ（２０１）とＬＥＤ＿Ｂ（２０２）の点灯時間の比率と点灯時間とを含む。
【００４６】
ここで、前回の調光結果がなく、使用できないと判断された場合、処理はステップＳ４０１に進み、図４で既に説明した調光処理と同じ処理を行う。これに対して、不揮発性メモリに前回の調光結果があると判断された場合、処理はステップ７０２に進み、前回の調光時に調整した点灯時間でＬＥＤ＿Ａ（２０１）とＬＥＤ＿Ｂ（２０２）を同時点灯させる。
【００４７】
ステップＳ７０３では、その際に前回の調光時に取得している最大光量位置である位置Ａと位置Ｂにおける光量を取得し、位置Ａにおける光量と位置Ｂにおける光量の差が閾値より大きいかどうかを確認する。ここで、その光量の差が閾値より大きいと判断された場合、処理はステップ４０１に進み、図４で既に説明したような１回目の調光処理と同じ処理を行う。これに対して、光量の差が閾値以下であると判断された場合、処理はステップＳ４１１に進み、ＬＥＤ＿Ａ（２０１）とＬＥＤ＿Ｂ（２０２）の点灯時間の比率を維持したまま、光量の最大値が目標値になるように点灯時間を調整する。
【００４８】
従って以上説明した実施例に従えば、不揮発性メモリに格納された前回の調光処理の結果を流用でき、光量特性が変化していると判断された場合にのみ、改めて調光処理を行うことができる。このようにして重複する処理を省略して、速やかに画像読取処理を実行することができる。
【００４９】
なお以上説明した２つの実施例では、光源として２つのＬＥＤを用いる例を示したが、本発明はこれによって限定されるものではなく、ＬＥＤ（またはその他の光源）の数は３つ以上であっても構わない。
【００５０】
例えば、光源のＬＥＤがＬＥＤ＿Ｌ、ＬＥＤ＿Ｍ、ＬＥＤ＿Ｎの３つである場合、点灯時間の比率０（ＬＥＤ＿Ｌの点灯時間）：Ｐ（ＬＥＤ＿Ｍの点灯時間）：Ｑ（ＬＥＤ＿Ｎの点灯時間）は式（３）を満たせば良い。即ち、
ＬＬＬ×０  ＋  ＬＬＭ×Ｐ  ＋  ＬＬＭ×Ｑ  ＝
ＬＭＬ×０  ＋  ＬＭＭ×Ｐ  ＋  ＬＭＭ×Ｑ  ＝
ＬＮＬ×０  ＋  ＬＮＭ×Ｐ  ＋  ＬＮＭ×Ｑ              ……（３）
である。
【００５１】
ここで、ＬＬＬ、ＬＬＭ、ＬＬＮはそれぞれ、位置Ｌ（ＬＥＤ＿Ｌの光量が最大となるセンサ位置）における、ＬＥＤ＿Ｌ、ＬＥＤ＿Ｍ、ＬＥＤ＿Ｎの光量である。また、ＬＭＬ、ＬＭＭ、ＬＭＮはそれぞれ、位置Ｍ（ＬＥＤ＿Ｍの光量が最大となるセンサ位置）における、ＬＥＤ＿Ｌ、ＬＥＤ＿Ｍ、ＬＥＤ＿Ｎの光量である。またさらに、ＬＮＬ、ＬＮＭ、ＬＮＮはそれぞれ、位置Ｎ（ＬＥＤ＿Ｎの光量が最大となるセンサ位置）における、ＬＥＤ＿Ｌ、ＬＥＤ＿Ｍ、ＬＥＤ＿Ｎの光量である。
【００５２】
さらに、上述した実施例では、単機能の画像読取装置（スキャナ装置）を例として説明したが本発明はこれによって限定されるものではない。本発明は、例えば、画像読取装置（スキャナ装置）と画像形成装置（ＬＢＰ）とＡＤＦ装置が一体化した複写機システムにも適用できるし、さらに複写機システムにファクシミリ機能を加えた複合システムとしても良い。そして、これらシステムの画像形成部には電子写真方式に従うプリンタエンジンのみならず、インクジェット記録方式を採用したプリンタエンジンを備えても良い。
【符号の説明】
【００５３】
１００  画像読取装置、１０１  画像読取部、１０２  読取制御部、１０３  センサ、
１０４  光源、１０５  最大光量位置検出回路、１０６  光量取得回路、
１０７  比率算出回路、１０８  光量調整部  ２０１  ＬＥＤ＿Ａ、
２０２  ＬＥＤ＿Ｂ、２０３  導光体、２０４  センサ列、２０５  原稿
【図１】
2018056765.tif 000003
【図２】
2018056765.tif 000004
【図３】
2018056765.tif 000005
【図４】
2018056765.tif 000006
【図５】
2018056765.tif 000007
【図６】
2018056765.tif 000008
【図７】
2018056765.tif 000009